(57)【要約】      （修正有）【課題】コンセントに差し込んだプラグ全体を覆うようにカバーをすることで、容易にプラグがコンセントから抜けないようにし、又、カバーを容易に開閉可能とすることで、コンセントをプラグに差し込む作業に余分な時間を割かれることがない弾性体カバーを有する抜け止めコンセントを提供する。【解決手段】コンセント５からプラグ３が容易に抜けてしまうのを防止する抜け止めコンセント１において、前記コンセント５とプラグ３との周囲に、コンセント５とプラグ３とを包み込むようにして固定する弾性体カバー７を設け、前記弾性体カバー７は上下に少なくとも２分割可能で、長手方向に沿った一方の側が蝶番となり、他方の側には係止手段を設け、カバーが上下に開閉する弾性体カバーを有する抜け止めコンセントである。【選択図】図１
0003113925.tif 000002
【実用新案登録請求の範囲】
【請求項１】
コンセントからプラグが容易に抜けてしまうのを防止する抜け止めコンセントにおいて、前記コンセントとプラグとの周囲に、コンセントとプラグとを包み込むようにして固定する弾性体カバーを設け、前記弾性体カバーは上下に少なくとも２分割可能で、長手方向に沿った一方の側が蝶番となり、他方の側には係止手段を設け、カバーが上下に開閉することを特徴とする弾性体カバーを有する抜け止めコンセント。
【請求項２】
前記係止手段が一方の側が係止爪、他方が該係止爪を収納する係止爪と嵌合する溝を有する請求項１に記載の抜け止めコンセント。
【請求項３】
前記弾性体カバーが電気コード包囲孔を有し、前記電気コード包囲孔が電気コードのコード径よりも小さい請求項１又は２に記載の抜け止めコンセント。
【考案の詳細な説明】
【技術分野】
【０００１】
この考案はコンセントに係り、特には、プラグの抜け止め構成を有するコンセントに関する。
【背景技術】
【０００２】
通常のコンセントの場合、プラグの端子をコンセントの端子で挟み込んで固定している構成をとっているが、この構成では、振動などにより容易にプラグが外れてしまうという欠点を有していた。特に、最近では、自動車内で、１００Ｖ交流電源を使用したいという要求があり、このためのコンセントを車両内に設けることが行われるが、車両内は、走行時にかなりの振動を受けるので、コンセントに差し込んで使用していた携帯電話などの電源が抜けてしまうという問題点がある。又、工場内でプラグをコンセントに差し込んで使用する場合にも、機械の点検、清掃時にプラグがコンセントから抜けるという問題が発生していた。さらに、カバーを設けない場合に金型洗浄時等に飛散水がかかり、絶縁不良が発生していた。
【０００３】
このため、特許文献１には、プラグとコンセントを覆うカバーが記載されている。特許文献１に記載のカバーは、ゴム状バンドを使用していた為、コンセントに差し込んだプラグをゴム状バンドで覆う際に、コンセントとプラグの全体を覆った後面ファスナーにて接合する作業が必要となり、作業時間が掛かっていた。
【特許文献１】特開平１０−１０６６７１号公報
【考案の開示】
【考案が解決しようとする課題】
【０００４】
本考案は、このような問題を解決する為になされたものであり、コンセントに差し込んだプラグ全体を覆うカバーをすることで、容易にプラグがコンセントから抜けないようし、又、カバーを容易に開閉可能とすることで、コンセントをプラグに差し込む作業に余分な時間を割かれることがない弾性体カバーを有する抜け止めコンセントを提供することを目的とする。
【課題を解決するための手段】
【０００５】
即ち、本願請求項１に記載の考案は、コンセントからプラグが容易に抜けてしまうのを防止する抜け止めコンセントにおいて、前記コンセントとプラグとの周囲に、コンセントとプラグとを包み込むようにして固定する弾性体を設け、弾性体カバーは、長手方向に沿った一方の側が蝶番となり、他方の側には係止手段を設け、カバーが上下に開閉する弾性体カバーを有する抜け止めコンセントである。
【０００６】
請求項２に記載の考案は、前記係止手段が一方の側が係止爪、他方が該係止爪を収納する係止爪と嵌合する溝を有する請求項１に記載の弾性体カバーを有する抜け止めコンセントである。
【０００７】
請求項３に記載の考案は、前記弾性体カバーが電気コード包囲孔を有し、前記電気コード包囲孔が電気コードのコード径よりも小さい請求項１又は２に記載の弾性体カバーを有する抜け止めコンセントである。
【考案の効果】
【０００８】
請求項１に記載の考案によると、コンセントからプラグが容易に抜けてしまうのを防止する抜け止めコンセントにおいて、前記コンセントとプラグとの周囲に、コンセントとプラグとを包み込むようにして固定する弾性体として弾性体カバーを設け、弾性体カバーは、長手方向に沿った一方の側が蝶番となり、他方の側には係止手段を設け、カバーが上下に開閉する抜け止めコンセントであることから、コンセントからプラグが容易に抜けてしまうのを防止でき、弾性体カバーの装着も容易となる。
【０００９】
請求項２に記載の考案によると、前記係止手段が一方の側が係止爪、他方が該係止爪を収納する係止爪と嵌合する溝を有する請求項１に記載の抜け止めコンセントであることから、コンセントに差し込んだプラグに弾性体カバーを覆ったとき弾性体カバーの開閉が容易であると共に、一旦弾性体カバーを閉じると、容易に開かないという効果がある。
【００１０】
請求項３に記載の考案によると、前記弾性体カバーが電気コード包囲孔を有し、前記電気コード包囲孔が電気コードのコード径よりも小さい請求項１又は２に記載の抜け止めコンセントであることから、飛散水が掛かった場合でも電気コードが弾性体カバーと密着していることからプラグとコンセントの接合体に水が接することがなく、絶縁不良が発生する可能性が低くなるという効果がある。
【考案を実施するための最良の形態】
【００１１】
以下、本考案の実施の形態を説明する。
図１は、本考案の一実施例を示す図である。図１に示されるように、エアー、蒸気等の電磁弁への配線接続方法は、取り替えや通電確認時の保全性を考慮して、市販品の１００Ｖコンセントとプラグを使用している。図１は、プラグ３をコンセント５に差し込んでその周囲全体を弾性体カバー７で覆った抜け止めコンセント１である。コンセント３とプラグとの周囲に、コンセントとプラグとを包み込むようにして固定する弾性体カバー７を設け、弾性体カバー７は、その弾性体カバー７の長手方向に沿った一方の側を蝶番９とし、他方の側には係止手段を設け、上カバー１０及び下カバー１２からなる弾性体カバー７が上下に開閉するようになっている。
【００１２】
そして、前記係止手段が一方の側が係止爪１１、他方が該係止爪１１と嵌合する係止溝１３であり、コンセント５とプラグ３とを接合したときに、その周囲を弾性体カバー７で覆って、その一方側に設置した蝶番９の作用で弾性体カバー７を閉じ、さらに他方の側で、係止爪１１を係止溝１３に嵌合することでコンセント５とプラグ３の接合体２を堅固に固定し、プラグ３がコンセント５から抜けるのを防いでいる。
【００１３】
又、弾性体カバー７の長手方向の両端部１５には、上カバー１０と下カバー１２とに２分割して設けられたコード挿通孔１７を有し、該コード挿通孔１７はそれに通るコード１９の径よりも小さく設定してある。そうすることで、前記係止手段で弾性体カバー７を接合体２の周囲で固定したときに、コード挿通孔１７がコード１９を圧着することで、飛散水等がコード挿通孔１７部分に掛かったときでも、弾性体カバー７内に飛散水が入り込むことがなく、絶縁不良の原因が発生することがない。又、弾性体カバー７の材質は特に限定せず、天然ゴム、合成ゴム、ウレタンエラストマー、塩化ビニール樹脂等、弾性のあるものであれば特に限定しない。
【００１４】
実施例
コンセントにプラグを差し込み、塩化ビニール樹脂製の弾性体カバーをコンセントに差し込んだ接合体の上カバー及び下カバーで覆い係合爪を係合溝に挿入して、下カバーと上カバーを係合した。そして、プラグ側のコードにバネばかりを接合してバネばかりにて引っ張ったところ、コードは切断したが、コンセントからプラグが抜けることはなかった。
【図面の簡単な説明】
【００１５】
【図１】本考案の一実施例を示す図である。
【図２】図１のＡ−Ａ´断面図である。
【符号の説明】
【００１６】
１  抜け止めコンセント
２  接合体
３  プラグ
５  コンセント
７  弾性体カバー
９  蝶番
１１  係止爪
１３  係止溝
１５  両端部
１７  コード挿通孔
【図１】
0003113925.tif 000003
【図２】
0003113925.tif 000004